(57)【要約】【課題】予約番組一覧表を必要最小限の大きさで画面に表示することができるようにする。【解決手段】表示部１８の画面には、いま視聴している映像に重ね合わせて予約番組一覧表が所定の表示領域に表示される。この表示領域の大きさは、予め、所定数の予約番組を表示することができる大きさに設定されている。いま、番組名「Ａ」、「Ｂ」、「Ｃ」のそれぞれの予約内容が表示されている。ここで、例えば、番組名「Ｃ」の予約を取り消すと、残りの番組名「Ａ」と番組名「Ｂ」に対応する予約状況を表示するために必要な大きさに表示領域が縮小される。【選択図】図１
2006333036.tif 000002
【特許請求の範囲】
【請求項１】
予約された番組の一覧表に対応するグラフィックを所定の映像上に重ね合わせた合成映像信号を生成し出力する表示制御装置であって、
予約された前記番組の数に応じて、予約された番組の一覧表に対応する前記グラフィックが所定の表示装置の画面上で表示される表示領域の大きさを決定する決定手段と、
前記決定手段によって決定された大きさの前記表示領域内に表示する前記グラフィックを生成する第１の生成手段と、
前記第１の生成手段によって生成された前記グラフィックと前記映像とを合成した合成映像信号を生成する第２の生成手段と、
前記第２の生成手段によって生成された前記合成映像信号を出力する出力手段と
を備えることを特徴とする表示制御装置。
【請求項２】
前記一覧表の中の所定の番組の予約を取り消す取消手段をさらに備え、
前記取消手段によって前記一覧表の中の所定の番組の予約が取り消されたとき、残りの予約番組数に応じて前記一覧表を表示する表示領域の大きさが前記決定手段によって決定され、前記第１の生成手段により、前記決定手段によって決定された所定の大きさの前記表示領域内に表示する前記グラフィックが生成される
ことを特徴とする請求項１に記載の表示制御装置。
【請求項３】
電源投入時に、前記第１の生成手段は、前記一覧表に対応する前記グラフィックを生成し、前記第２の生成手段は、前記第１の生成手段によって生成された前記グラフィックと前記映像とを合成した合成映像信号を生成し、前記出力手段は、前記第２の生成手段によって生成された前記合成映像信号を出力する
ことを特徴とする請求項１または２に記載の表示制御装置。
【請求項４】
予約された番組の一覧表に対応するグラフィックを所定の映像上に重ね合わせた合成映像信号を生成し出力する表示制御方法であって、
予約された前記番組の数に応じて、予約された番組の一覧表に対応する前記グラフィックが所定の表示装置の画面上で表示される表示領域の大きさを決定する決定ステップと、
前記決定ステップにおいて決定された大きさの前記表示領域内に表示する前記グラフィックを生成する第１の生成ステップと、
前記第１の生成ステップにおいて生成された前記グラフィックと前記映像とを合成した合成映像信号を生成する第２の生成ステップと、
前記第２の生成ステップにおいて生成された前記合成映像信号を出力する出力ステップと
を備えることを特徴とする表示制御方法。
【請求項５】
前記一覧表の中の所定の番組の予約を取り消す取消ステップをさらに備え、
前記取消ステップにおいて前記一覧表の中の所定の番組の予約が取り消されたとき、残りの予約番組数に応じて前記一覧表を表示する表示領域の大きさが前記決定ステップにおいて決定され、前記第１の生成ステップにおいて、前記決定ステップにおいて決定された所定の大きさの前記表示領域内に表示する前記グラフィックが生成される
ことを特徴とする請求項４に記載の表示制御方法。
【請求項６】
電源投入時に、前記第１の生成ステップにおいて、前記一覧表に対応する前記グラフィックが生成され、前記第２の生成ステップにおいては、前記第１の生成ステップにおいて生成された前記グラフィックと前記映像とを合成した合成映像信号が生成され、前記出力ステップにおいては、前記第２の生成ステップにおいて生成された前記合成映像信号が出力される
ことを特徴とする請求項４または５に記載の表示制御方法。
【請求項７】
予約された番組の一覧表に対応するグラフィックを所定の映像上に重ね合わせた合成映像信号を生成し出力する表示制御装置を制御する表示制御プログラムであって、
予約された前記番組の数に応じて、予約された番組の一覧表に対応する前記グラフィックが所定の表示装置の画面上で表示される表示領域の大きさを決定する決定ステップと、
前記決定ステップにおいて決定された大きさの前記表示領域内に表示する前記グラフィックを生成する第１の生成ステップと、
前記第１の生成ステップにおいて生成された前記グラフィックと前記映像とを合成した合成映像信号を生成する第２の生成ステップと、
前記第２の生成ステップにおいて生成された前記合成映像信号を出力する出力ステップと
を前記表示制御装置に実行させることを特徴とする表示制御プログラム。
【請求項８】
前記一覧表の中の所定の番組の予約を取り消す取消ステップをさらに備え、
前記取消ステップにおいて前記一覧表の中の所定の番組の予約が取り消されたとき、残りの予約番組数に応じて前記一覧表を表示する表示領域の大きさが前記決定ステップにおいて決定され、前記第１の生成ステップにおいて、前記決定ステップにおいて決定された所定の大きさの前記表示領域内に表示する前記グラフィックが生成される
ことを特徴とする請求項７に記載の表示制御プログラム。
【請求項９】
電源投入時に、前記第１の生成ステップにおいて、前記一覧表に対応する前記グラフィックが生成され、前記第２の生成ステップにおいては、前記第１の生成ステップにおいて生成された前記グラフィックと前記映像とを合成した合成映像信号が生成され、前記出力ステップにおいては、前記第２の生成ステップにおいて生成された前記合成映像信号が出力される
ことを特徴とする請求項７または８に記載の表示制御プログラム。
【発明の詳細な説明】
【技術分野】
【０００１】
本発明は表示制御装置に関し、特に、予約した番組の一覧の表示を制御する表示制御装置に関するものである。
【背景技術】
【０００２】
従来、電子番組表（Electronic Program Guide(EPG)）を使用して視聴予約や録画予約をする方法については多数の発明がなされている。その中には、ユーザが設定したキーワードや嗜好、あるいは視聴傾向や視聴記録に応じて、自動でまたは簡単な操作で所定の番組の視聴予約または録画予約をすることができるというものがある。
また、電話回線等のネットワークを介してリモート操作により自宅の番組予約表示装置の番組録画予約表の変更を行うことができるようにし、さらに、番組予約表示装置の電源投入時に、番組予約表示装置が備える媒体から録画済みの番組表を読み出し、その番組表を画面に表示させるようにすることにより、遠隔地からの録画予約を可能とするとともに、電源投入時にユーザに対して録画済みの番組表を明示して、録画した番組があることを忘れずに確認することができるようにしたものがある。さらにまた、録画予約をするときに、ユーザ種別を入力するようにして、誰がどの番組を予約したかを表示できるようにし、他人が予約録画した番組を誤って消去したり上書きしたりしてしまうということを防ぐようにしたものがある（例えば、特許文献１参照）。
【特許文献１】特開２０００−３５０１４２号公報
【発明の開示】
【発明が解決しようとする課題】
【０００３】
しかしながら、視聴予約した番組や録画予約した番組の一覧表を表示する場合、その一覧表が画面全体に表示されるため、現在視聴している番組が見づらくなってしまう場合があるという問題があった。
本発明はこのような状況に鑑みてなされたものであり、視聴または録画の予約がされた番組の一覧を、予約されている番組数に応じて、所定の表示装置の画面上において必要最小限の表示領域に表示し、現在視聴している番組の映像を極力邪魔することがないようにするものである。
【課題を解決するための手段】
【０００４】
請求項１に記載の表示制御装置は、予約された番組の一覧表に対応するグラフィックを所定の映像上に重ね合わせた合成映像信号を生成し出力する表示制御装置であって、予約された番組の数に応じて、予約された番組の一覧表に対応するグラフィックが所定の表示装置の画面上で表示される表示領域の大きさを決定する決定手段と、決定手段によって決定された大きさの表示領域内に表示するグラフィックを生成する第１の生成手段と、第１の生成手段によって生成されたグラフィックと映像とを合成した合成映像信号を生成する第２の生成手段と、第２の生成手段によって生成された合成映像信号を出力する出力手段とを備えることを特徴とする。
また、請求項１において、一覧表の中の所定の番組の予約を取り消す取消手段をさらに備え、取消手段によって一覧表の中の所定の番組の予約が取り消されたとき、残りの予約番組数に応じて一覧表を表示する表示領域の大きさが決定手段によって決定され、第１の生成手段により、決定手段によって決定された所定の大きさの表示領域内に表示するグラフィックが生成されるようにすることができる。
また、請求項１または２において、電源投入時に、第１の生成手段は、一覧表に対応するグラフィックを生成し、第２の生成手段は、第１の生成手段によって生成されたグラフィックと映像とを合成した合成映像信号を生成し、出力手段は、第２の生成手段によって生成された合成映像信号を出力するようにすることができる。
請求項４に記載の表示制御方法は、予約された番組の一覧表に対応するグラフィックを所定の映像上に重ね合わせた合成映像信号を生成し出力する表示制御方法であって、予約された番組の数に応じて、予約された番組の一覧表に対応するグラフィックが所定の表示装置の画面上で表示される表示領域の大きさを決定する決定ステップと、決定ステップにおいて決定された大きさの表示領域内に表示するグラフィックを生成する第１の生成ステップと、第１の生成ステップにおいて生成されたグラフィックと映像とを合成した合成映像信号を生成する第２の生成ステップと、第２の生成ステップにおいて生成された合成映像信号を出力する出力ステップとを備えることを特徴とする。
また、請求項４において、一覧表の中の所定の番組の予約を取り消す取消ステップをさらに備え、取消ステップにおいて一覧表の中の所定の番組の予約が取り消されたとき、残りの予約番組数に応じて一覧表を表示する表示領域の大きさが決定ステップにおいて決定され、第１の生成ステップにおいて、決定ステップにおいて決定された所定の大きさの表示領域内に表示するグラフィックが生成されるようにすることができる。
また、請求項４または請求項５において、電源投入時に、第１の生成ステップにおいて、一覧表に対応するグラフィックが生成され、第２の生成ステップにおいては、第１の生成ステップにおいて生成されたグラフィックと映像とを合成した合成映像信号が生成され、出力ステップにおいては、第２の生成ステップにおいて生成された合成映像信号が出力されるようにすることができる。
請求項７に記載の表示制御プログラムは、予約された番組の一覧表に対応するグラフィックを所定の映像上に重ね合わせた合成映像信号を生成し出力する表示制御装置を制御する表示制御プログラムであって、予約された番組の数に応じて、予約された番組の一覧表に対応するグラフィックが所定の表示装置の画面上で表示される表示領域の大きさを決定する決定ステップと、決定ステップにおいて決定された大きさの表示領域内に表示するグラフィックを生成する第１の生成ステップと、第１の生成ステップにおいて生成されたグラフィックと映像とを合成した合成映像信号を生成する第２の生成ステップと、第２の生成ステップにおいて生成された合成映像信号を出力する出力ステップとを表示制御装置に実行させることを特徴とする。
また、請求項７において、一覧表の中の所定の番組の予約を取り消す取消ステップをさらに備え、取消ステップにおいて一覧表の中の所定の番組の予約が取り消されたとき、残りの予約番組数に応じて一覧表を表示する表示領域の大きさが決定ステップにおいて決定され、第１の生成ステップにおいて、決定ステップにおいて決定された所定の大きさの表示領域内に表示するグラフィックが生成されるようにすることができる。
また、請求項７または請求項８において、電源投入時に、第１の生成ステップにおいて、一覧表に対応するグラフィックが生成され、第２の生成ステップにおいては、第１の生成ステップにおいて生成されたグラフィックと映像とを合成した合成映像信号が生成され、出力ステップにおいては、第２の生成ステップにおいて生成された合成映像信号が出力されるようにすることができる。
【発明の効果】
【０００５】
本発明の表示制御装置によれば、予約された番組の数に応じて、予約された番組の一覧表が所定の表示装置の画面上で表示されるときの表示領域の大きさが決定され、その表示領域内に予約された番組の一覧が表示されるようにしたので、予約された番組の一覧表が表示される領域を予約番組数に応じて必要最小限の大きさにすることができ、現在視聴している番組の映像を極力邪魔することがないようにすることができる。
【発明を実施するための最良の形態】
【０００６】
図１は、本発明が適用されるテレビジョン受像機１００の一実施の形態の構成例を示すブロック図である。同図に示すように、テレビジョン受像機１００は、チューナ１２と、デコーダ１３と、信号処理部１４と、制御部１５と、ＯＳＤ（on-screen display）処理部１６と、記憶部１７と、表示部１８と、スピーカ１９と、インタフェース２０と、電源ボタン２１と、選局ボタン２２と、上ボタン２３と、下ボタン２４と、決定ボタン２５と、取消ボタン２６と、音量調節ボタン２７と、受光部２８と、インタフェース（Ｉ／Ｆ）２９等から構成されている。
【０００７】
チューナ１２は、アンテナ１０によって受信された受信信号から所定のチャンネルの映像音声信号を抽出し、デコーダ１３に供給するようになっている。デコーダ１３は、チューナ１２より供給された映像音声信号をデコードし、信号処理部１４に供給するようになっている。
【０００８】
信号処理部１４は、チューナ１２より供給された映像音声信号のうち、映像信号を表示部１８に供給し、音声信号をスピーカ１９に供給するようになっている。表示部１８は、信号処理部１４より供給された映像信号に対応する所定の映像を表示するようになっている。スピーカ１９は、信号処理部１４より供給された音声信号に対応する所定の音声を出力するようになっている。
【０００９】
また、信号処理部１４は、映像信号に重畳された電子番組表（EPG：Electronic Program Guide）を示す電子番組表データを抽出し、後述する制御部１５に供給するようになっている。さらに、制御部１５を介して、後述するＯＳＤ処理部１６によって生成された、映像に重ね合わせる文字や図形等からなるグラフィックデータを受け取り、そのグラフィックデータを映像に重ね合わせた合成映像に対応する合成映像信号を生成し、表示部１８に供給するようになっている。これにより、表示部１８の画面には、信号処理部１４より供給された合成映像信号に対応する映像が表示されることになる。
【００１０】
受光部２８は、後述するリモートコントローラ２００の発光部５３より出射された赤外線を受光し、対応する電気信号に変換した後、Ｉ／Ｆ２９に供給するようになっている。Ｉ／Ｆ２９は、受光部２８より供給された電気信号に対応する制御データを制御部１５に供給するようになっている。
【００１１】
制御部１５は、インタフェース（Ｉ／Ｆ）２９より供給された制御データに基づいて各部を制御し、リモートコントローラ２００の操作に対応する各種処理を実行するようになっている。また、制御部１５は、テレビジョン受像機１００が備える電源ボタン２１や各種ボタン（選局ボタン２２、上ボタン２３、下ボタン２４、決定ボタン２５、取消ボタン２６、音量調節ボタン２７等）の操作に対応して、インタフェース２０より供給される制御データに基づいて、各種処理を実行するようになっている。
【００１２】
また、例えば、後述する予約番組一覧表の表示や、行カーソルの表示、ダイアログボックスの表示、その他ユーザインタフェースの制御と、予約番組の削除、それに伴う視聴予約管理データの更新等の各種処理は、制御部１５がＯＳＤ処理部１６やその他の各部を制御することによって実行されるようになっている。
【００１３】
ＯＳＤ処理部１６は、制御部１５の制御下、チューナ１２によって現在選局されている番組の映像に重ね合わせて表示される例えば後述する予約番組一覧表、行カーソル、ダイアログボックス等に対応するグラフィックデータを生成し、制御部１５に供給するようになっている。記憶部１７は、ユーザがリモートコントローラ２００またはテレビジョン受像機１００の各ボタンを操作して視聴予約または録画予約した予約番組を示す、例えば放送局、放送開始時刻、放送終了時刻、番組名等からなる視聴予約管理データまたは録画予約管理データ等を記憶するようになっている。
【００１４】
電源ボタン２１は、テレビジョン受像機１００の電源をオンまたはオフするときに操作される。選局ボタン２２は、チャンネルの変更を指示するときに操作される。上ボタン２３は、表示部１８の画面に表示された例えば予約番組一覧表の行カーソルを上方向に移動させるときに操作される。下ボタン２４は、表示部１８の画面に表示された例えば予約番組一覧表の行カーソルを下方向に移動させるときに操作される。
【００１５】
決定ボタン２５は、上ボタン２３および下ボタン２４を用いてカーソルを移動させることによって選択した項目について、その項目の選択を確定するときに操作される。取消ボタン２６は、予約番組一覧表の中の所定の番組の予約を取り消すときに操作される。
【００１６】
音量調節ボタン２７は、スピーカ１９より出力される音声の大きさを調整するときに操作される。インタフェース２０は、電源ボタン２１、選局ボタン２１、上ボタン２３、下ボタン２４、決定ボタン２５、取消ボタン２６、および音量調節ボタン２７が操作されたときに出力される電気信号に対応する制御データを制御部１５に供給するようになっている。
【００１７】
図２は、リモートコントローラ２００の一実施の形態の外観図を示している。同図に示すように、リモートコントローラ２００は、電源ボタン４１と、「１」ボタン乃至「１２」ボタンからなる選局ボタン４２と、上ボタン４３と、下ボタン４４と、決定ボタン４５と、取消ボタン４６と、音量調節ボタン４７と、左ボタン４８と、右ボタン４９等を備えている。
【００１８】
図３は、リモートコントローラ２００の電気的な構成例を示すブロック図である。同図に示すように、リモートコントローラ２００は、制御部５１と、制御部５１に接続された発光制御部５２と、発光制御部５２に接続された発光部５３と、制御部５１に接続されたインタフェース４０と、インタフェース４０に接続された電源ボタン４１、選局ボタン４２、上ボタン４３、下ボタン４４、決定ボタン４５、取消ボタン４６、音量調節ボタン４７、左ボタン４８、および右ボタン４９等から構成されている。
【００１９】
電源ボタン４１は、テレビジョン受像機１００の電源をオンまたはオフするときに操作される。選局ボタン４２は、チャンネルの変更を指示するときに操作される。上ボタン４３は、表示部１８の画面に表示された例えば予約番組一覧表の行カーソルを上方向に移動させるときに操作される。下ボタン４４は、表示部１８の画面に表示された例えば予約番組一覧表の行カーソルを下方向に移動させるときに操作される。
【００２０】
決定ボタン４５は、上ボタン４３および下ボタン４４を用いてカーソルを移動させることによって選択した項目について、その項目の選択を確定するときに操作される。取消ボタン４６は、後述する予約番組一覧表の中の所定の番組の予約を取り消すときに操作される。
【００２１】
音量調節ボタン４７は、スピーカ１９より出力される音声の大きさを調整するときに操作される。左ボタン４８および右ボタン４９は、ダイアログボックスの選択項目を選択するときに操作される。インタフェース４０は、電源ボタン４１、選局ボタン４２、上ボタン４３、下ボタン４４、決定ボタン４５、取消ボタン４６、音量調節ボタン４７、左ボタン４８、および右ボタン４９が操作されたときに出力される電気信号に対応する制御データを制御部５１に供給するようになっている。
【００２２】
制御部５１は、ユーザの操作に対応してインタフェース４０を介して供給される制御データに基づいて、発光制御部５２に対して制御データを赤外線により送信するよう指令するようになっている。発光制御部５２は、制御部５１からの指令に基づいて、制御データに対応する制御信号を発光部５３に供給し、発光部５３の発光を制御するようになっている。発光部５３は発光制御部５２から供給された制御信号に従って赤外線を発光し、制御データを送信するようになっている。
【００２３】
図４は、予約番組表示可能数（Ｎ（所定の自然数））が３で、予約番組数が３の場合の予約番組一覧表の表示例を示している。表示部１８の画面には、現在視聴している番組の映像が表示され、その映像に予約番組一覧表が非透過または半透過で重ね合わせて表示される。
【００２４】
図４に示した例の場合、表示部１８の画面の右上隅の所定の矩形の表示領域に予約番組一覧表が表示されている。この予約番組一覧表は、メッセージ「取り消す場合は、取り消したい予約を選択し、「決定」ボタンを押してください。」と、現在視聴予約されている各番組の予約状況（予約日時、チャンネル番号、番組名等からなる予約内容）とにより構成されている。
【００２５】
いま、３つの番組が予約されている。即ち、２月１日、１０時００分から１０時３０分に、ＢＳ１０１で放送される番組「Ａ」と、２月１日、１０時３０分から１１時００分に、ＢＳ１０３で放送される番組「Ｂ」と、２月１日、１１時３０分から１１時４５分に、ＣＳ００１で放送される番組「Ｃ」とが視聴予約されている。
【００２６】
また、この例では、番組「Ａ」の予約状況の表示領域に行カーソル１８１が表示されており、その表示領域の背景色が他の番組「Ｂ」、番組「Ｃ」の予約状況の表示領域の背景色とは異なる色とされている。
【００２７】
図５は、予約番組表示可能数（Ｎ）が３で、予約番組数が４の場合の予約番組一覧表の表示例を示している。表示部１８の画面には、現在視聴している番組の映像が表示され、その映像に予約番組一覧表が非透過または半透過で重ね合わせて表示される。
【００２８】
図５に示した例の場合、図４に示した場合と同様に、表示部１８の画面の右上隅の所定の矩形の表示領域に予約番組一覧表が表示されている。この予約番組一覧表は、メッセージ「取り消す場合は、取り消したい予約を選択し、「決定」ボタンを押してください。」と、現在視聴予約されている各番組の予約状況（予約日時、チャンネル番号、番組名等からなる）と、後述する行カーソル１８１と、上スクロールマーク１８２と、下スクロールマーク１８３とにより構成されている。
【００２９】
いま、４つの番組が予約されている。即ち、２月１日、１０時００分から１０時３０分に、ＢＳ１０１で放送される番組「Ａ」と、２月１日、１０時３０分から１１時００分に、ＢＳ１０３で放送される番組「Ｂ」と、２月１日、１１時３０分から１１時４５分に、ＣＳ００１で放送される番組「Ｃ」と、２月１日、１１時４５分から１２時００分に、ＣＳ００２で放送される番組「Ｄ」とが視聴予約されている。
【００３０】
また、この例では、番組「Ａ」の予約状況の表示領域に行カーソル１８１が表示されており、その表示領域の背景色が他の番組「Ｂ」、番組「Ｃ」の予約状況の表示領域の背景色とは異なる色とされている。
【００３１】
さらに、上下方向に仮想的に並べられた各番組の予約状況の表示位置を上方向にスクロールさせることができることを示す上スクロールマーク１８２と、各番組の予約状況の表示位置を下方向にスクロールさせることができることを示す下スクロールマーク１８３が各予約番組の予約状況が表示されている領域を挟んで上下に配置されている。
【００３２】
また、この例の場合、予約番組一覧表において、表示可能な予約番組数（Ｎ）として３が設定され、予約されている番組の数が４以上とされているため、番組「Ａ」、番組「Ｂ」、番組「Ｃ」の予約状況は表示されているが、番組「Ｄ」の予約状況は表示されていない。
【００３３】
そこで、テレビジョン受像機１００の下ボタン２４、またはリモートコントローラ２００の下ボタン４４を操作すると、各番組の予約状況が１行ずつ上方向に移動する。この例の場合、番組「Ａ」の予約状況が画面から消え、番組「Ｄ」の予約状況が新たに表示されることとなる。
【００３４】
図６は、予約番組表示可能数が３で、予約番組数が２の場合の予約番組一覧表の表示例を示している。表示部１８の画面には、現在視聴している番組の映像が表示され、その映像に予約番組一覧表が非透過または半透過で重ね合わせて表示される。
【００３５】
図６に示した例の場合、図４に示した場合と同様に、表示部１８の画面の右上隅の所定の矩形の表示領域に予約番組一覧表が表示されている。この予約番組一覧表は、メッセージ「取り消す場合は、取り消したい予約を選択し、「決定」ボタンを押してください。」と、現在視聴予約されている各番組の予約状況（予約日時、チャンネル番号、番組名等からなる）と、行カーソル１８１とにより構成されている。
【００３６】
いま、２つの番組が予約されている。即ち、２月１日、１０時３０分から１１時００分に、ＢＳ１０３で放送される番組「Ｂ」と、２月１日、１１時３０分から１１時４５分に、ＣＳ００１で放送される番組「Ｃ」とが視聴予約されている。
【００３７】
このように、予約番組表示可能数（この例では３）より、実際に予約されている予約番組数（この例では２）の方が少ない場合、予約番組一覧表の表示領域が、予約番組数に応じて縮小される。図６に示した予約番組一覧表の表示領域は、図５に示した予約番組一覧表の表示領域よりも縦方向の大きさが１行分だけ小さくなっている。
【００３８】
図７は、予約している番組の放送時間が延長または変更された場合に表示部１８の画面に表示されるダイアログボックスの表示例を示している。このダイアログボックスには、確認メッセージ「放送時間が変更になった予約があります。変更内容を確認しますか？」と、変更内容を確認するときに選択される選択ボタン「する」と、変更内容を確認しないときに選択される選択ボタン「しない」が表示される。
【００３９】
次に、図８のフローチャートを参照して、本実施の形態の処理手順について説明する。まず、電源がオンされると、ステップＳ１において、制御部１５により、記憶部１７に記憶されている視聴予約管理データが参照され、視聴予約されている番組があるか否かが判定される。
【００４０】
その結果、視聴予約されている番組がないと判定された場合、本処理を終了する。一方、視聴予約されている番組があると判定された場合、ステップＳ２に進む。
【００４１】
ステップＳ２においては、視聴予約されている番組の数が予約番組表示可能数（Ｎ（所定の自然数））以上であるか否かが判定される。その結果、視聴予約されている番組の数がＮ以上ではないと判定された場合、ステップＳ３に進む。一方、視聴予約されている番組の数がＮ以上であると判定された場合、ステップＳ６に進む。
【００４２】
ステップＳ３においては、予約番組一覧表の表示領域が予約番組表示可能数（Ｎ）に合わせて縮小される。例えば、予約番組表示可能数（Ｎ）の値として３が設定されている場合において、予約されている番組の数が２のとき、図６に示したように、予約されている２つの番組の予約状況を表示するために必要な最小限の表示領域が設定され、その表示領域内に予約されている２つの番組の予約状況を示すデータが表示される。
【００４３】
次に、ステップＳ４に進み、ユーザによってテレビジョン受像機１００の各ボタンまたはリモートコントローラ２００の各ボタンの操作により、予約の取り消しが指示されたか否かが判定される。
【００４４】
即ち、ユーザにより、テレビジョン受像機１００に設けられた上ボタン２３および下ボタン２４の少なくともいずれか一方、または、リモートコントローラ２００の上ボタン４３および下ボタン４４の少なくともいずれか一方が操作され、所定の予約番組の予約状況が表示されている領域に行カーソル１８１が移動させられた後、テレビジョン受像機１００の取消ボタン２６、またはリモートコントローラ２００の取消ボタン４６が操作され、行カーソル１８１が表示されている領域の予約番組の取り消しが指示されたか否かが判定される。
【００４５】
その結果、予約の取り消しが指示されていないと判定された場合、本処理を終了する。一方、予約の取り消しが指示されたと判定された場合、ステップＳ５に進み、制御部１５の制御により、ユーザによって取り消しが指示された予約番組の予約の取り消しが行われる。即ち、制御部１５は、記憶部１７に記憶されている視聴予約管理データから、取り消しが指示された予約番組のデータを削除する。
【００４６】
また、ステップＳ６においては、図４に示したように、予約されている番組を所定の順番に並べた場合における上位Ｎ（予約番組表示可能数）個の予約番組の予約状況が表示される。この例では、上述したように、予約番組表示可能数（Ｎ）の値として３が設定されているものとしている。また、図４に示した例では、予約されている番組の数が３であるため、予め設定された表示領域内に予約されている全ての番組の予約状況が表示される。
【００４７】
次に、ステップＳ７において、予約されている番組の数が、予約番組表示可能数（Ｎ）より多い、即ち、予約されている番組の数が（Ｎ＋１）以上であるか否かが判定される。その結果、予約されている番組の数が（Ｎ＋１）以上ではないと判定された場合、本処理を終了する。一方、予約されている番組の数が（Ｎ＋１）以上であると判定された場合、ステップＳ８に進む。
【００４８】
ステップＳ８においては、図５に示したように、予約番組一覧表において、各予約番組の予約状況が表示されている領域を挟んで上側に上スクロールマーク１８２が表示され、その領域の下側に下スクロールマーク１８３が表示される。ステップＳ８の処理が終了すると、ステップＳ４に進み、ステップＳ４以降の処理が実行される。
【００４９】
本実施の形態では、電源投下時に、制御部１５の制御下、記憶部１７から読み出された視聴予約管理データに基づいて予約番組一覧表が生成され、表示部１８に表示されるが、その際、受信信号に重畳されている電子番組表に対応する電子番組表データが再取得されて、視聴予約管理データと電子番組表データとが比較され、放送開始時刻または放送終了時刻が変更された番組の有無が検知され、放送開始時刻または放送終了時刻が変更された番組がある場合、視聴予約管理データが更新される。
【００５０】
視聴予約管理データは、各放送局毎に、各番組の放送日と、放送開始時刻および放送終了時刻と、番組のタイトル等からなり、記憶部１７に記憶されている。制御部１５は、放送開始時刻または放送終了時刻が変更された番組に対応する視聴予約管理データを検索し、変更された内容に基づいて検索した視聴予約管理データを更新する。その後、図７に示したダイアログボックスが表示部１８の画面に表示される。
【００５１】
ユーザがテレビジョン受像機１００の上ボタン２３またはリモートコントローラ２００の上ボタン４３もしくは左ボタン４８を操作して、ダイアログボックスに表示された選択ボタン「する」にカーソルを移動させて選択し、テレビジョン受像機１００の決定ボタン２５またはリモートコントローラ２００の決定ボタン４５を操作すると、制御部１５は、ダイアログボックスを画面から消去した後、放送開始時刻または放送終了時刻が変更された番組に対応する変更内容を表示する。
【００５２】
一方、ユーザがテレビジョン受像機１００の下ボタン２４またはリモートコントローラ２００の下ボタン４４もしくは右ボタン４９を操作して、ダイアログボックスに表示された選択ボタン「しない」にカーソルを移動させて選択し、テレビジョン受像機１００の決定ボタン２５またはリモートコントローラ２００の決定ボタン４５を操作すると、制御部１５は、何も処理を行わず、ダイアログボックスを画面から消去させ、処理を終了する。
【００５３】
以上説明したように、本実施の形態においては、電源投入時に表示部１８の画面上に、現在視聴予約されている番組数に応じた必要最小限の大きさの表示領域内に予約番組一覧表が表示されるので、いま視聴している番組の映像を極力邪魔することがないようにしつつ、ユーザが予約番組の確認をすることが可能となる。
【００５４】
また、予約番組一覧表の中の所定の番組の視聴予約を取り消すことができ、取り消した番組が消去された後の予約番組数に応じて、予約番組一覧表の表示領域の大きさが縮小され得るので、予約番組数が予約番組表示可能数（Ｎ）より少なくなった場合には、自動で予約番組一覧表の表示領域が縮小され、縮小された分だけいま視聴している番組の映像の表示領域が拡大されるので、リアルタイムでいま視聴している番組の映像を極力邪魔しないようにすることができる。
【００５５】
なお、上記実施の形態においては、本発明を視聴予約を行う場合に適用した場合について説明したが、録画予約を行う場合にも本発明を適用することができる。
【００５６】
また、上記実施の形態の構成及び動作は例であって、本発明の趣旨を逸脱しない範囲で適宜変更することができることは言うまでもない。
【産業上の利用可能性】
【００５７】
本発明の活用例として、例えば、テレビジョン受像機だけでなく、録画機能を有する各種装置において録画予約を行う際にも本発明を適用することができる。
【図面の簡単な説明】
【００５８】
【図１】本発明が適用されるテレビジョン受像機の一実施の形態の構成例を示すブロック図である。
【図２】リモートコントローラの一実施の形態を示す外観図である。
【図３】リモートコントローラの電気的な構成例を示すブロック図である。
【図４】予約番組表示可能数（Ｎ（所定の自然数））が３で、予約番組数が３の場合の予約番組一覧表の表示例を示す図である。
【図５】予約番組表示可能数（Ｎ）が３で、予約番組数が４の場合の予約番組一覧表の表示例を示す図である。
【図６】予約番組表示可能数が３で、予約番組数が２の場合の予約番組一覧表の表示例を示す図である。
【図７】予約している番組の放送時間が延長または変更された場合に表示部の画面に表示されるダイアログボックスの表示例を示す図である。
【図８】本実施の形態の処理手順を説明するためのフローチャートである。
【符号の説明】
【００５９】
１０  アンテナ
１２  チューナ
１３  デコーダ
１４  信号処理部
１５，５１  制御部
１６  ＯＳＤ処理部
１７  記憶部
１８  表示部
１９  スピーカ
２０，４０  インタフェース
２１，４１  電源ボタン
２２，４２  選局ボタン
２３，４３  上ボタン
２４，４４  下ボタン
２５，４５  決定ボタン
２６，４６  取消ボタン
２７，４７  音量調節ボタン
２８  受光部
２９  Ｉ／Ｆ
４８  左ボタン
４９  右ボタン
５２  発光制御部
５３  発光部
１００  テレビジョン受像機
１８１  行カーソル
１８２  上スクロールマーク
１８３  下スクロールマーク
２００  リモートコントローラ
【図１】
2006333036.tif 000003
【図２】
2006333036.tif 000004
【図３】
2006333036.tif 000005
【図４】
2006333036.tif 000006
【図５】
2006333036.tif 000007
【図６】
2006333036.tif 000008
【図７】
2006333036.tif 000009
【図８】
2006333036.tif 000010